(57)【要約】【課題】反射ミラーをアレイ状に並べ、各反射ミラーの縮小倍率に対応したセンサーチップをベース基板上に隣接して配置した場合のセンサーへの迷光の入射を簡易な構成で防止可能な読取モジュール及びそれを備えた画像読取装置並びに画像形成装置を提供する。【解決手段】読取モジュールは、光源と、光源から原稿に照射された光の反射光を画像光として結像させる光学系と、光学系によって結像された画像光を電気信号に変換する複数のセンサーチップが配置されるセンサーと、を備える。光学系は、反射面が非球面である複数の反射ミラーが主走査方向に連結されるミラーアレイと、各反射ミラーで反射された画像光の光量を調整する第１絞りと、第１絞りの開口縁からミラーアレイ方向に突出する第２絞りと、各センサーチップの境界から第１絞り方向に突出する第１遮光壁と、第１絞りの主走査方向両側からセンサーチップ方向に突出する第２遮光壁と、を備える。【選択図】図４
2018019179.tif 000002
【特許請求の範囲】
【請求項１】
原稿を照射する光源と、
該光源から原稿に照射された光の反射光を画像光として結像させる光学系と、
該光学系によって結像された画像光を電気信号に変換する複数のセンサーチップが主走査方向に隣接して配置されたセンサーと、
を備え、
前記光学系は、
反射面が非球面である複数の反射ミラーが主走査方向にアレイ状に連結されたミラーアレイと、
前記各反射ミラーと前記各センサーチップとの間にそれぞれ設けられ、前記各反射ミラーで反射された画像光の光量を調整する第１絞りと、
該第１絞りの開口縁から前記ミラーアレイ方向にテーパー状に突出する第２絞りと、
前記各センサーチップの境界から前記第１絞り方向に突出するように形成され、前記各センサーチップに入射する迷光を遮光する第１遮光壁と、
前記第１絞りの主走査方向両側から前記センサーチップ方向に突出するように形成され、前記各センサーチップに入射する迷光を遮光する第２遮光壁と、
を備えることを特徴とする読取モジュール。
【請求項２】
前記第２遮光壁の突出長Ｌが、以下の式を満たすことを特徴とする請求項１に記載の読取モジュール。
ｍｙ／（２ｒ＋ｘ）＜Ｌ＜ｚ′＋ｚ′／（ａ／２−ｒ）・（ｍ＋ｒ−ａ／２）
ただし、
ａ；反射ミラーの主走査方向のミラー幅
ｒ；第１絞りの絞り半径
ｘ；センサーチップ上の主走査方向の中央の座標原点を通り主走査方向に平行な直線をＸ軸、座標原点を通り主走査方向に垂直な直線をＹ軸としたとき、第２絞りをＸ軸に投影した長さ
ｙ；第２絞りのＹ軸方向の突出長
ｍ；第１絞りの開口縁から第２遮光壁までのＸ軸方向の距離
ｚ′；第１絞りからセンサーチップまでのＹ軸方向の距離
である。
【請求項３】
前記第１絞りの開口縁から前記第２遮光壁までの距離ｍが、以下の式を満たすことを特徴とする請求項２に記載の読取モジュール。
０＜ｍ＜−（ｒ−ａ／２）2／（２ｒ＋ｘ）・（ｙ／ｚ′）−ｒ＋ａ／２
【請求項４】
前記光源から射出された光は原稿により反射された後、画像光として前記第１遮光壁と前記第２遮光壁の間を通過して前記ミラーアレイに入射することを特徴とする請求項１乃至請求項３のいずれかに記載の読取モジュール。
【請求項５】
画像読取部の上面に固定されたコンタクトガラスと、
該コンタクトガラスに対して上方に開閉可能であり、原稿を前記コンタクトガラスの画像読取位置に搬送する原稿搬送装置と、
前記コンタクトガラスの下方に副走査方向に往復移動可能に配置される請求項１乃至請求項４のいずれかに記載の前記読取モジュールと、
を備え、
前記読取モジュールは、前記コンタクトガラス上に載置される原稿の画像を副走査方向に移動しながら読み取り可能であり、且つ、前記画像読取位置に搬送される原稿の画像を前記画像読取位置に対向する位置に停止した状態で読み取り可能である画像読取装置。
【請求項６】
請求項５に記載の画像読取装置が搭載された画像形成装置。
【発明の詳細な説明】
【技術分野】
【０００１】
本発明は、デジタル複写機やイメージスキャナー等に用いられる、原稿に光を照射して反射された画像光を読み取る読取モジュール及びそれを備えた画像読取装置並びに画像形成装置に関するものである。
【背景技術】
【０００２】
従来、電子写真プロセスを用いた複合機等に搭載される画像読取装置の読取方式として、ＣＣＤ（Charge Coupled Devices）センサーと呼ばれる電荷結合素子を使用したＣＣＤ方式と、ＣＭＯＳ（Complementary MOS）センサーと呼ばれる光電変換素子を使用したＣＩＳ方式がある。
【０００３】
ＣＣＤ方式は、原稿サイズの１／５〜１／９のサイズのイメージセンサーに対して、複数の平面ミラー及び光学レンズを用いて縮小像を結像させて画像を読み取る方式である。ＣＣＤ方式のメリットとしては、被写界深度が深いということが挙げられる。ここで、被写界深度とは、ピントが正確に合った位置から被写体(ここでは原稿)が光軸方向にずれたとしても、ピントが合っているように見える範囲のことである。つまり、被写界深度が深ければ規定の位置から原稿がずれたとしても、それほど遜色のない画像を読み込むことができることを意味する。
【０００４】
一方、ＣＣＤ方式のデメリットは、光路長（被写体からセンサーまで光が進む距離）が２００〜５００ｍｍと非常に長いことが挙げられる。画像読取装置では、この光路長をキャリッジの限られた空間内で確保するために、複数の平面ミラーを用いて光の進行方向を変化させている。このため、部品数が多くなりコストが高くなってしまう。また、光学系にレンズを用いている場合、波長による屈折率の差異によって色収差が発生する。この色収差を補正するために複数枚のレンズが必要となる。このように複数枚のレンズを用いることもコストアップの要因となっている。
【０００５】
ＣＩＳ方式は、特許文献１に示されるように、正立等倍のロッドレンズを複数個アレイ状に並べ、原稿と同等のサイズのイメージセンサー上に結像させて読み取る方式である。ＣＩＳ方式のメリットとしては、ＣＣＤ方式と比較して光路長が１０ｍｍ〜２０ｍｍと比較的短く、小型であることが挙げられる。また、ロッドレンズのみを用いて結像させるためにＣＣＤ方式で必要なミラーが不要となり、ＣＩＳセンサーを搭載するスキャナーユニットを薄型化することができ、構造が簡単であるため低コストであるということが挙げられる。一方、ＣＩＳ方式は被写界深度が非常に小さいため、規定の位置から原稿が光軸方向にずれた時に、個々のレンズの倍率のズレによって像滲みによるボケの影響が大きく現れる。その結果、ブック原稿や凹凸のある原稿を均一に読み取れないというデメリットを有する。
【０００６】
近年、上記のＣＣＤ方式、ＣＩＳ方式とは異なり、特許文献２に開示されているように、結像光学系に反射ミラーアレイを用いて画像を読み取る方式が提案されている。この方式は、反射ミラーをアレイ状に並べ、対応した読取領域別に原稿をセンサー上に縮小倒立結像させている。しかし、ロッドレンズアレイを用いるＣＩＳ方式とは異なり、１つの光学系にて１つの領域を読み取り結像させる。また、結像方式にテレセントリック系を採用することによって、複数の領域別に原稿を読取る際に、倍率の異なる像の重なり合いによる像滲みの発生は無く、画像ボケを抑制し、複眼読取方式を成立させている。
【０００７】
さらに、この方式では光学系にミラーのみを用いているため、光学系にレンズを用いる場合とは異なり、色収差が発生することはない。よって色収差に関する補正は必要なく、光学系を構成するエレメント数を少なくすることができる。
【先行技術文献】
【特許文献】
【０００８】
【特許文献１】特開２００３−１２１６０８号公報
【特許文献２】米国特許第８３４５３２５号明細書
【発明の概要】
【発明が解決しようとする課題】
【０００９】
ところで、光源から原稿面に照射された光は、あらゆる方向に散乱する。このため、特許文献２に記載されたような反射ミラーをアレイ状に並べる方式では、読み取り領域外の光線がセンサー上に到達し、迷光が発生する。特許文献２では、各読み取り領域の縮小倍率に対応したセルサイズのセンサーチップをベース基板上に離散的に配置している。これにより、迷光はセンサー間に到達するために画像には影響を与えない。しかし、特許文献２の方法では縮小倍率に応じてセンサーチップを離散的に配置したセンサーを作成する必要があるため、コストアップを招いてしまう。
【００１０】
本発明は、上記問題点に鑑み、反射ミラーをアレイ状に並べ、各反射ミラーの縮小倍率に対応したセンサーチップをベース基板上に隣接して配置した場合のセンサーへの迷光の入射を簡易な構成で防止可能な読取モジュール及びそれを備えた画像読取装置並びに画像形成装置を提供することを目的とする。
【課題を解決するための手段】
【００１１】
上記目的を達成するために本発明の第１の構成は、光源と、光学系と、センサーと、を備えた読取モジュールである。光源は、原稿を照射する。光学系は、光源から原稿に照射された光の反射光を画像光として結像させる。センサーは、光学系によって結像された画像光を電気信号に変換する複数のセンサーチップが主走査方向に隣接して配置される。光学系は、ミラーアレイと、第１絞りと、第２絞りと、第１遮光壁と、第２遮光壁と、を備える。ミラーアレイは、反射面が非球面である複数の反射ミラーが主走査方向にアレイ状に連結される。第１絞りは、各反射ミラーと各センサーチップとの間にそれぞれ設けられ、各反射ミラーで反射された画像光の光量を調整する。第２絞りは、第１絞りの開口縁からミラーアレイ方向にテーパー状に突出する。第１遮光壁は、各センサーチップの境界から第１絞り方向に突出するように形成され、各センサーチップに入射する迷光を遮光する。第２遮光壁は、第１絞りの主走査方向両側からセンサーチップ方向に突出するように形成され、各センサーチップに入射する迷光を遮光する。
【発明の効果】
【００１２】
本発明の第１の構成によれば、反射ミラーで反射された画像光が対応するセンサーチップに入射する際、画像光の読み取り領域外の部分が第１遮光壁及び第２遮光壁によって遮光されるため、対応するセンサーチップの両側に隣接するセンサーチップに迷光となって入射するのを防止することができる。
【図面の簡単な説明】
【００１３】
【図１】本発明の読取モジュール５０を用いる画像読取部６を備えた画像形成装置１００の全体構成を示す側面断面図
【図２】画像読取部６内に搭載される本発明の一実施形態に係る読取モジュール５０の内部構造を示す側面断面図
【図３】本実施形態の読取モジュール５０の内部構造を示す部分斜視図
【図４】本実施形態の読取モジュール５０における、第１絞り３７からセンサー４０までの構造を示す部分斜視図
【図５】図４において、原稿６０により反射された画像光ｄが第１遮光壁４１と第２遮光壁４３の間を通過する様子を示す図
【図６】読取モジュール５０内の一つの反射ミラー３５ａと、これに対応するセンサーチップ４０ａとの間の構成を示す平面断面図
【図７】第１絞り３７の開口縁から第２遮光壁４３までの距離ｍと、第１遮光壁４１及び第２遮光壁４３の合計突出長Ｔとの関係を示すグラフ
【発明を実施するための形態】
【００１４】
以下、図面を参照しながら本発明の実施形態について説明する。図１は、本発明の読取モジュール５０を用いる画像読取部６を備えた画像形成装置１００の概略構成図である。図１において、画像形成装置１００（ここでは一例としてデジタル複合機を示す）では、コピー動作を行う場合、後述する画像読取部６において原稿の画像データを読み取り画像信号に変換する。一方、複合機本体２内の画像形成部３において、図中の時計回り方向に回転する感光体ドラム５が帯電ユニット４により一様に帯電される。そして、露光ユニット（レーザー走査ユニット等）７からのレーザービームにより、感光体ドラム５上に画像読取部６で読み取られた原稿画像データに基づく静電潜像が形成される。形成された静電潜像に現像ユニット８により現像剤（以下、トナーという）が付着されてトナー像が形成される。この現像ユニット８へのトナーの供給はトナーコンテナ９から行われる。
【００１５】
上記のようにトナー像が形成された感光体ドラム５に向けて、給紙機構１０から用紙が用紙搬送路１１及びレジストローラー対１２を経由して画像形成部３に搬送される。給紙機構１０は、給紙カセット１０ａ、１０ｂと、その上方に設けられるスタックバイパス（手差しトレイ）１０ｃと、を備える。搬送された用紙は、感光体ドラム５と転写ローラー１３（画像転写部）のニップ部を通過することにより感光体ドラム５の表面におけるトナー像が転写される。そして、トナー像が転写された用紙は感光体ドラム５から分離され、定着ローラー対１４ａを有する定着部１４に搬送されてトナー像が定着される。定着部１４を通過した用紙は、用紙搬送路１５の分岐点に設けられた経路切換機構２１、２２によって搬送方向が振り分けられ、そのまま（或いは、反転搬送路１６に送られて両面コピーされた後に）、第１排出トレイ１７ａ、第２排出トレイ１７ｂから成る用紙排出部に排出される。
【００１６】
トナー像の転写後に感光体ドラム５の表面に残存するトナーはクリーニング装置１８によって除去される。また、感光体ドラム５の表面の残留電荷は、感光体ドラム５の回転方向に対してクリーニング装置１８の下流側に設けられた除電装置（図示せず）によって除去される。
【００１７】
複合機本体２の上部には画像読取部６が配置されており、画像読取部６のコンタクトガラス２５（図２参照）上に載置される原稿を押さえて保持するプラテン（原稿押さえ）２４が開閉可能に設けられており、プラテン２４上には原稿搬送装置２７が付設されている。
【００１８】
更に、複合機本体２内には、画像形成部３、画像読取部６、原稿搬送装置２７等の動作を制御する制御部（ＣＰＵ）９０が配置されている。
【００１９】
図２及び図３は、画像読取部６に搭載される本発明の一実施形態に係る読取モジュール５０の内部構造を示す側面断面図及び部分斜視図であり、図４は、本実施形態の読取モジュール５０における、第１絞り３７からセンサー４０までの構造を示す部分斜視図である。なお、図２及び図３では、図４に示す第１遮光壁４１、第２遮光壁４３の記載を省略している。また、図２〜図４では後述する第２絞り３９（図６参照）の記載を省略している。読取モジュール５０は、副走査方向（矢印ＡＡ′方向）に移動しながらコンタクトガラス２５上に載置された原稿６０の表面側（図２の下側）の画像を読み取る。また、読取モジュール５０は、コンタクトガラス２５の自動読取位置の直下に停止した状態で原稿搬送装置２７（図１参照）により搬送される原稿６０の表面側の画像を読み取る。
【００２０】
図２に示すように、読取モジュール５０の筐体３０内には、光源３１と、平面ミラー３３と、反射面が非球面である複数の反射ミラーで構成されるミラーアレイ３５と、第１絞り３７と、読取手段としてのセンサー４０が備えられている。なお、センサー４０はセンサー基板（図示せず）に支持されている。また、読取モジュール５０は、白色基準データを取得するためのシェーディング板（図示せず）の直下をホームポジションとしている。
【００２１】
上記構成において、原稿固定方式で原稿画像を読み取る場合、先ず、原稿６０をコンタクトガラス２５上に画像面を下向きにして載置する。そして、光源３１からの光により原稿６０の画像面を照射しながら、読取モジュール５０をスキャナーホーム側からスキャナーリターン側へ所定の速度で移動させる。その結果、原稿６０の画像面で反射された光は画像光ｄ（図２の実線矢印で示す）となり、平面ミラー３３によって光路が変更された後、ミラーアレイ３５により集光され、第１絞り３７を通過してセンサー４０上に結像される。結像された画像光ｄはセンサー４０において画素分解され、各画素の濃度に応じた電気信号に変換されて画像の読み取りが行われる。
【００２２】
一方、シートスルー方式で原稿画像を読み取る場合は、読取モジュール５０をコンタクトガラス２５の画像読取領域（画像読取位置）の直下に移動させる。そして、原稿搬送装置２７によって画像読取領域に向けて軽く押圧されながら順次搬送される原稿の画像面を光源３１からの光で照射しながら、画像面で反射された画像光ｄを平面ミラー３３、ミラーアレイ３５、第１絞り３７を介してセンサー４０上に結像させて画像の読み取りが行われる。
【００２３】
図３に示すように、センサー４０は主走査方向（矢印ＢＢ′方向）に複数個のセンサーチップ４０ａ、４０ｂ、４０ｃ・・・が隣接して配置されている。また、センサー４０に画像光ｄを結像するミラーアレイ３５も、各センサーチップ４０ａ、４０ｂ、４０ｃ・・・に対応する複数枚の反射ミラー３５ａ、３５ｂ、３５ｃ・・・がアレイ状に連結した構成である。
【００２４】
本実施形態では、複数のセンサーチップ４０ａ、４０ｂ、４０ｃ・・・が主走査方向に隣接して配置されたセンサー４０を用いている。そのため、例えば反射ミラー３５ｂによって反射され、第２絞り３９（図６参照）、第１絞り３７を通過した画像光ｄが対応するセンサーチップ４０ｂに結像するとき、読み取り領域外の画像光ｄがセンサーチップ４０ｂの主走査方向両側に隣接するセンサーチップ４０ａ、４０ｃに迷光となって入射するおそれがある。
【００２５】
そこで、本実施形態では、図４に示すように、各センサーチップ４０ａ、４０ｂ、４０ｃ・・・の境界から第１絞り３７方向に突出する第１遮光壁４１と、第１絞り３７の主走査方向両側から各センサーチップ４０ａ、４０ｂ、４０ｃ・・・方向に突出する第２遮光壁４３とを設けている。
【００２６】
本実施形態の構成によれば、図５に示すように、主走査方向に分割された原稿６０の各領域で反射された画像光ｄは第１遮光壁４１と第２遮光壁４３の間を通過した後、平面ミラー３３（図２参照）によって光路が変更され、ミラーアレイ３５の反射ミラー３５ａ、３５ｂ、３５ｃ・・・に入射する。画像光ｄは、各反射ミラー３５ａ、３５ｂ、３５ｃ・・・によって所定の縮小倍率に縮小された後、第２絞り３９（図６参照）及び第１絞り３７を順次通過して対応するセンサーチップ４０ａ、４０ｂ、４０ｃ・・・に結像する。
【００２７】
このとき、例えばセンサーチップ４０ｂに結像する画像光ｄは、読み取り領域外の部分が第１遮光壁４１及び第２遮光壁４３によって遮光されるため、センサーチップ４０ｂの主走査方向両側に隣接するセンサーチップ４０ａ、４０ｃに迷光となって入射するのを防止することができる。
【００２８】
また、原稿６０により反射された画像光ｄは第１遮光壁４１と第２遮光壁４３の間を通過するため、読取モジュール５０の限られたスペース内で画像光ｄの光路を確保することができ、読取モジュール５０のコンパクト化を実現することができる。
【００２９】
次に、第１遮光壁４１と第２遮光壁４３の突出長（副走査方向の寸法）の決定方法について説明する。図６は、読取モジュール５０内の一つの反射ミラー３５ａと、これに対応するセンサーチップ４０ａとの間の構成を示す平面断面図である。なお、反射ミラー３５ｂ、３５ｃ・・・と、それに対応するセンサーチップ４０ｂ、４０ｃ・・・との間の構成についても図６と同様である。
【００３０】
いま、センサーチップ４０ａ上の主走査方向の中央に座標原点Ｏをとり、座標原点Ｏからセンサーチップ４０ａと平行な直線上（主走査方向）にＸ軸、座標原点Ｏから反射ミラー３５ａに向かう垂直線上（副走査方向）にＹ軸をとる。また、反射ミラー３５ａの主走査方向のミラー幅をａ、第１絞り３７の絞り半径をｒとする。また、第１絞り３７の開口縁から反射ミラー３５ａ方向にテーパー状に突出する第２絞り３９を設け、第２絞り３９をＸ軸に投影した長さ（Ｘ方向距離）をｘ、突出長（Ｙ方向距離）をｙとし、第１絞り３７から反射ミラー３５ａ、センサーチップ４０ａまでの距離をそれぞれｚ、ｚ′とする。さらに、第１絞り３７の開口縁から第２遮光壁４３までの距離をｍとする。
【００３１】
先ず、第２遮光壁４３を設けずに第１遮光壁４１のみを設ける場合について考える。この場合、第２絞り３９の先端の点Ａと、Ｙ軸を挟んで点Ａと反対側の位置にある第１絞り３７の開口縁上の点Ｂとを通過する光線Ｄ１を第１遮光壁４１で遮光する必要がある。
【００３２】
図６より、点Ａの座標は（ｒ＋ｘ，ｚ′＋ｙ）で表され、点Ｂの座標は（−ｒ，ｚ′）で表される。従って、点Ａ、Ｂを通る光線Ｄ１は、
Ｙ＝ｙ／（２ｒ＋ｘ）・Ｘ＋｛ｒｙ／（２ｒ＋ｘ）｝＋ｚ′・・・（１）
で表される。
【００３３】
第１遮光壁４１が形成されるセンサーチップ４０ａ上の点Ｉの座標は（−ａ／２，０）であるから、第１遮光壁４１の突出長をＣｙとすると、第１遮光壁４１のみを設ける場合の突出長Ｃｙ１は、式（１）にＸ＝−ａ／２を代入したときのＹの値であるから、
Ｃｙ１＝（ｒ−ａ／２）・｛ｙ／（２ｒ＋ｘ）｝＋ｚ′・・・（２）
となる。
【００３４】
次に、第２遮光壁４３を設ける場合について考える。第２遮光壁４３の突出長をＬとすると、第２遮光壁４３の先端の点Ｆの座標は（−ｍ−ｒ，ｚ′−Ｌ）で表される。従って、第１絞り３７の開口縁上の点Ｂと点Ｆとを通る光線Ｄ２は、
Ｙ＝（Ｌ／ｍ）・Ｘ＋（Ｌ／ｍ）・ｒ＋ｚ′・・・（３）
で表される。
【００３５】
このとき、第１遮光壁４１の突出長Ｃｙ２は、式（３）にＸ＝−ａ／２を代入したときのＹの値であるから、
Ｃｙ２＝（ｒ−ａ／２）・（Ｌ／ｍ）＋ｚ′・・・（４）
となる。即ち、第２遮光壁４３の突出長がＬのとき、第１遮光壁４１の突出長Ｃｙ２を（ｒ−ａ／２）・（Ｌ／ｍ）＋ｚ′とすれば、第１遮光壁４１及び第２遮光壁４３を用いて迷光を確実に遮光できることがわかる。
【００３６】
次に、第２遮光壁４３の突出長Ｌの範囲について考える。第２遮光壁４３によって迷光を遮光するためには、点Ａ、Ｂを通る光線Ｄ１の光路を遮ることができればよい。即ち、第２遮光壁４３の先端の点Ｆが光線Ｄ１上にあるとき突出長Ｌが最小値Ｌminとなる。そこで、式（１）にＸ＝−ｍ−ｒ、Ｙ＝ｚ′−Ｌminを代入して、
ｚ′−Ｌmin＝−｛ｙ／（２ｒ＋ｘ）｝・（ｍ＋ｒ）＋｛ｒｙ／（２ｒ＋ｘ）｝＋ｚ′
Ｌmin＝｛ｙ／（２ｒ＋ｘ）｝・（ｍ＋ｒ）−｛ｒｙ／（２ｒ＋ｘ）｝
Ｌmin＝ｍｙ／（２ｒ＋ｘ）・・・（５）
となる。
【００３７】
また、第２遮光壁４３が点Ｂと第１遮光壁４１の基端部（点Ｉ）とを通る光線Ｄ３を遮光してしまうと、センサーチップ４０ａ上の読み取り領域に画像光が入射しない部分が発生する。即ち、第２遮光壁４３の先端の点Ｆが光線Ｄ３上にあるとき突出長Ｌが最大値Ｌmaxとなる。ここで、点Ｂ、Ｉを通る光線Ｄ３は、
Ｙ＝ｚ′／（ａ／２−ｒ）・Ｘ＋ｚ′／（ａ／２−ｒ）・ａ／２・・（６）
で表されるから、式（６）にＸ＝−ｍ−ｒ、Ｙ＝ｚ′−Ｌmaxを代入して、
ｚ′−Ｌmax＝−ｚ′／（ａ／２−ｒ）・（ｍ＋ｒ）＋ｚ′／（ａ／２−ｒ）・ａ／２
Ｌmax＝ｚ′＋ｚ′／（ａ／２−ｒ）・（ｍ＋ｒ−ａ／２）・・・（７）
となる。
【００３８】
よって、式（５）、（７）より、迷光を遮光するためには第２遮光壁４３の突出長Ｌがｍｙ／（２ｒ＋ｘ）＜Ｌ＜ｚ′＋ｚ′／（ａ／２−ｒ）・（ｍ＋ｒ−ａ／２）・・（８）
の範囲にあることが必要となる。
【００３９】
次に、第１遮光壁４１の突出長Ｃｙと第２遮光壁４３の突出長Ｌの関係について考える。第１遮光壁４１、第２遮光壁４３の突出長が長くなると、光源３１からの熱によって第１遮光壁４１、第２遮光壁４３が変形し易くなり、画像光ｄの光路を遮ってしまうおそれがある。また、第１遮光壁４１、第２遮光壁４３を形成するためのコストも高くなる。そのため、第１遮光壁４１の突出長Ｃｙと第２遮光壁４３の突出長Ｌの合計の長さを極力小さくすることが好ましい。
【００４０】
図７は、第１絞り３７の開口縁から第２遮光壁４３までの距離ｍと、第１遮光壁４１及び第２遮光壁４３の合計突出長Ｔとの関係を示すグラフである。図７に示すように、ｍ＝０であるときは、第２遮光壁４３がない状態であるため、合計突出長Ｔは第２遮光壁４３を設けない場合の第１遮光壁４１の突出長Ｃｙ１となる。一方、第２遮光壁４３の突出長Ｌの最大値Ｌmaxは、第１絞り３７の開口縁から第２遮光壁４３までの距離ｍに比例して大きくなる。そのため、迷光を遮光するのに必要な第１遮光壁４１の突出長Ｃｙは、図７にハッチングで示すように距離ｍが大きくなるにつれて小さくなる。
【００４１】
そして、第２遮光壁４３の突出長Ｌmaxが第１遮光壁４１の突出長Ｃｙ１と等しくなると、Ｃｙ＝０となり第２遮光壁４３のみで迷光を遮光可能となる。Ｌmax＝Ｃｙ１であるとき、式（２）、（７）より
（ｒ−ａ／２）・｛ｙ／（２ｒ＋ｘ）｝＋ｚ′＝ｚ′＋ｚ′／（ａ／２−ｒ）・（ｍ＋ｒ−ａ／２）
ｍ＝−（ｒ−ａ／２）2／（２ｒ＋ｘ）・（ｙ／ｚ′）−ｒ＋ａ／２・・・（９）
【００４２】
一方、第２遮光壁４３の突出長Ｌmaxが第１遮光壁４１の突出長Ｃｙ１を越えると合計突出長Ｔも突出長Ｃｙ１より大きくなる。よって、式（９）より、第１絞り３７の開口縁から第２遮光壁４３までの距離ｍが、
０＜ｍ＜−（ｒ−ａ／２）2／（２ｒ＋ｘ）・（ｙ／ｚ′）−ｒ＋ａ／２・・・（１０）
の範囲にあるとき、第１遮光壁４１と第２遮光壁４３の合計突出長Ｔを第１遮光壁４１のみを設けた場合の突出長Ｃｙ１よりも小さくすることができる。
【００４３】
その他本発明は、上記実施形態に限定されず、本発明の趣旨を逸脱しない範囲で種々の変更が可能である。例えば、上記実施形態では、画像読取装置として、画像形成装置１００に搭載される画像読取部６を例に挙げて説明したが、画像形成装置１００と別体で用いられるイメージスキャナーにも全く同様に適用することができる。
【産業上の利用可能性】
【００４４】
本発明は、反射ミラーをアレイ状に並べる読み取り方式の読取モジュールを備えた画像読取装置に利用可能である。本発明の利用により、各反射ミラーの縮小倍率に対応したセンサーチップをベース基板上に隣接して配置した場合のセンサーへの迷光の入射を簡易な構成で防止可能な画像読取装置及びそれを備えた画像形成装置を提供することができる。
【符号の説明】
【００４５】
６                画像読取部（画像読取装置）
２５              コンタクトガラス
２７              原稿搬送装置
３０              筐体
３１              光源
３３              平面ミラー
３５              ミラーアレイ
３５ａ〜３５ｃ    反射ミラー
３７              第１絞り
３９              第２絞り
４０              センサー
４０ａ〜４０ｃ    センサーチップ
４１              第１遮光壁
４３              第２遮光壁
５０              読取モジュール
６０              原稿
１００            画像形成装置
【図１】
2018019179.tif 000003
【図２】
2018019179.tif 000004
【図３】
2018019179.tif 000005
【図４】
2018019179.tif 000006
【図５】
2018019179.tif 000007
【図６】
2018019179.tif 000008
【図７】
2018019179.tif 000009